(57)【要約】【課題】    デザインが良く、熱伝導に優れ、軽便かつ安全性と耐用性に優れ、操作が容易で、人体の患部の症状の違いに基づく温度に対する要求を達成することが可能な温熱治療器具を提供すること。【解決手段】    グリップ管１の下端に複数の断熱及び排煙用スリット１１が開設され、グリップ管１の下端には蓄熱管２が取付けられている。蓄熱管２内にはバネが設置されており、バネの下端には金属製の錘が固定されている。蓄熱管２の下端には灰皿７が取付けられ、灰皿７とグリップ管１外周には、それぞれ消火リング１３，７１が外装されている。【選択図】  図１
2004223246.tif 000002
【特許請求の範囲】
【請求項１】
グリップ管の下端に複数の断熱及び排煙用スリットが開設され、前記断熱及び排煙用スリットの上方には通気孔が開設されており、
グリップ管の下端には蓄熱管が取付けられており、
蓄熱管内の軸方向位置にはバネが設置され、前記バネの上縁と蓄熱管の内壁とはネジで相互に組み立てられており、
バネの下端には金属製の錘が接続して固設されており、
木片の垂直設置用とされ、前記蓄熱管の下端には通気孔が開設されており、
蓄熱管の下端には灰皿が取付けられており、
前記灰皿とグリップ管の外周とにはそれぞれ消火リングが嵌設されていることを特徴とする、
温熱治療器具。
【請求項２】
グリップ管の上端に電源制御スイッチベースが設置されており、
前記電源制御スイッチベースには電源制御スイッチが設置され、
電源制御スイッチには電源コードが接続しており、
グリップ管の下端にはランプソケットが設置され、
前記ランプソケットにはランプが組み合わされて装着されており、
前記ランプソケットと電源制御スイッチとの間は耐熱電線により接続されており、
前記グリップ管の下端には蓄熱管が取付けられ、
前記蓄熱管の下端は封鎖状態であり、
ランプに対応する蓄熱管箇所には蓄熱室が設置されており、
蓄熱管の上端には複数の断熱用スリットが開設されていることを特徴とする、
温熱治療器具。
【発明の詳細な説明】
【技術分野】
【０００１】
本発明は温熱治療器具に関し、特に蓄熱管箇所に、木片の燃焼により生成される熱エネルギー、または電源制御スイッチの電流を調整することによりランプの熱量を制御することにより、蓄熱管の管壁から腕や大腿部の内側へ熱を伝導させて、全身の血液循環を刺激する温熱治療器具に関するものである。
【背景技術】
【０００２】
中国・西洋医学、特に整体を専門とする医師は恒常的に空気または水分を媒介物として生成された熱により疼痛の温シップ治療を実施し、リハビリテーションを促進している。
その原理は皮膚及び皮下組織を経由した温度の増加により温度アクセプタ（細胞）や中枢神経を刺激し、大脳への疼痛信号伝達をサポートするものであり、これにより疼痛感が効果的に軽減される。
このように温熱治療により血液の循環が増進され、筋肉のだるさが緩和されるため、物理的治療のサポートという目的を達成することが可能となる。
【０００３】
現在、温シップ方式の大部分は蒸したタオルで治療箇所を被覆するというものであり、治療過程の違いに基づき、場合によっては何回も薬剤の塗布と温シップとを反復しなければならない。
またタオルの放熱は極めて急速であり、蓄熱性能は備わっていないため、一定温度の温シップを維持するためには、熱いタオルを大量に交換する必要があり、使用面においてコストの負担は極めて大きく、人的、物的資源の浪費が比較的大きなものとなる。
【発明の開示】
【発明が解決しようとする課題】
【０００４】
本発明は、以上の点に鑑み、上記公知の温熱治療器具における欠点を克服するため成されたもので、本発明者は長年にわたって研究を重ねるとともに、不断にテストと改良を実施し、ついに上記欠点を改善し得る、簡易な設計的要求に合致する構造の温熱治療器具を提供することを目的とする。
【課題を解決するための手段】
【０００５】
上記した課題を達成するため、本発明は、グリップ管の下端に複数の断熱及び排煙用スリットが開設され、前記断熱及び排煙用スリットの上方には通気孔が開設されており、グリップ管の下端には蓄熱管が取付けられており、蓄熱管内の軸方向位置にはバネが設置され、前記バネの上縁と蓄熱管の内壁とはネジで相互に組み立てられており、バネの下端には金属製の錘が接続して固設されており、木片の垂直設置用とされ、前記蓄熱管の下端には通気孔が開設されており、蓄熱管の下端には灰皿が取付けされており、前記灰皿とグリップ管の外周とにはそれぞれ消火リングが嵌設されていることを特徴とする、温熱治療器具を提供するものである。
さらに本発明は、グリップ管の上端に電源制御スイッチベースが設置されており、前記電源制御スイッチベースには電源制御スイッチが設置され、電源制御スイッチには電源コードが接続しており、グリップ管の下端にはランプソケットが設置され、前記ランプソケットにはランプが組み合わされて装着されており、前記ランプソケットと電源制御スイッチとの間は耐熱電線により接続されており、前記グリップ管の下端には蓄熱管が取付けられ、前記蓄熱管の下端は封鎖状態であり、ランプに対応する蓄熱管箇所には蓄熱室が設置されており、蓄熱管の上端には複数の断熱用スリットが開設されていることを特徴とする、温熱治療器具を提供することにある。
【発明の効果】
【０００６】
本発明は少なくとも次のひとつの効果を得ることができる。
（１）蓄熱管から腕や大腿部の内側に熱が伝導されることにより、全身の血液循環の刺激、リハビリテーションの促進、身体のマッサージや新陳代謝の支援という機能を達成することができる。
（２）本発明に係る温熱治療器具は、デザインが良く、熱伝導に優れているという要求に合致しており、軽便かつ安全で、耐用性に優れている。
（３）本発明に係る温熱治療器具は、操作が容易であり、人体の各部分に応用可能であるため、患部の症状の違いに基づく温度に対する要求を達成することが可能である。
（４）本発明は一般向けの健康器具であり、家庭での使用に適しており、産業面での応用性と経済的価値が特に優れている。
（５）本発明における燃焼による温熱治療器具を、電力システム設備が不足している後進国や後進地区で活用すると、国民に対して自主的に健康を維持するための温熱治療器具を提供することになる。
【発明を実施するための最良の形態】
【０００７】
添付した図面を参照しながら、本発明に係る温熱治療器具について詳細に説明する。
【０００８】
図１と図２とを参照しながら説明する。
図２に本発明における第一実施形態の局部断面図を示す。
それにはグリップ管１、蓄熱管２、バネ３、木片４や金属製の錘５などの部材が含まれている。
グリップ管１の下端には、複数の断熱及び排煙用スリット１２が開設され、当該断熱及び排煙用スリット（水平線スリットまたは円形孔）１２の上方には通気孔１１が開設されている。
グリップ管１の下端には蓄熱管２がねじで取付けされている。
蓄熱管２内の軸方向位置にはバネ３が設置され、当該バネ３の上縁と蓄熱管２の内壁との間は、ネジ６で相互に組み付けられている。
またバネ３の下端には、木片４を垂直に設置するための金属製の錘５が接続して固定されている。
蓄熱管２の下端には通気孔２１が開設されており、蓄熱管２の下端には灰皿７がねじ込んで取付けられている。
当該灰皿７とグリップ管１の外周とにはそれぞれ消火リング（ガラス繊維、皮、布またはプラスチック素材）７１，１３が外装されていて、消火しようとする際には、消火リング７１，１３を押し動かし、グリップ管１の断熱及び排煙用スリット１２と蓄熱管２の通気孔２１を塞ぐことにより、消火目的を達成できることを、主要な特徴とする。
【０００９】
本発明の設計上の特徴は次の点にある。
つまり先ず蓄熱管２と灰皿７とを回してグリップ管１の下端から分離する。
木片４の一端に点火した上で、バネ３上に設置すると、当該蓄熱管２内のバネ３下端の金属製の錘５が、燃焼中の木片４を支持して木片４の燃焼をサポートするとともに、蓄熱作用を発揮する。
また蓄熱管２内のバネ３が燃焼中の木片４と燃焼灰とを分離処理し、燃焼灰は下方向に灰皿７に落下して木片４の継続的な燃焼をサポートする。
当該グリップ管１の下端に断熱及び排煙用スリット１２が設置されていることにより、蓄熱管２内の熱量がグリップ管１に向けて拡散することを阻止できると共に、排煙をサポートすることにより、木片４の燃焼が促進される。
金属製の錘５に蓄熱された熱が蓄熱管２へ伝わり、温められた蓄熱管２で温熱治療を行う。
グリップ管１に通気孔１１が設置されていることにより、木片４の燃焼時の煙の排出が促進され、木片４の燃焼が加速される。
また蓄熱管２の温度は上昇するが、グリップ管１は加熱されない。
また当該灰皿７とグリップ管１の外周とに消火リング７１，１３が設置されていることにより、消火しようとする際には、消火リング７１，１３を押し動かして断熱及び排煙用スリット１２と通気孔２１とを塞ぐと、消火工程が加速され、その操作の簡便性、スムーズさと使用面での安全性が増強されるという点である。
【００１０】
次に図３と図４を参照して第二実施形態を説明する。
図４は本発明における第二実施形態の局部断面図である。
それにはグリップ管８、蓄熱管９と電源制御スイッチベース１０などの部材が含まれている。
グリップ管８の上端には、電源制御スイッチベース１０が設置されている。
当該電源制御スイッチベース１０には電源制御スイッチ１０１が設置され、電源制御スイッチ１０１には電源コード１０２が接続している。
またグリップ管８の下端には、ランプソケット８２が設置され、当該ランプソケット８２にはランプ８３が組み付けて装着されている。
当該ランプソケット８２と電源制御スイッチ１０１との間は耐熱電線８１により接続されている。
当該グリップ管８の下端には、蓄熱管９がねじで取付けられている。当該蓄熱管９の下端は封鎖状態にある。
ランプ８３に対応する蓄熱管９の箇所には、蓄熱室９２が設置されている。
また蓄熱管９の上端には、複数の断熱用スリット（水平線スリットまたは円形孔）９１が開設されていることを、その主要な特徴とする。
【００１１】
本発明の設計上の特徴は次の点にある。
つまり電源制御スイッチ１０１を、電源コード１０２を介して１１０Ｖの電源コンセント１０３に接続し、耐熱電線８１によりランプソケット８２に装着されているランプ８３を点灯させて、熱量を蓄熱管９と蓄熱室９２とに生成させる。
蓄熱管９に設置されている断熱用スリット９１により蓄熱管９内の熱量がグリップ管８に向けて拡散するのを阻止する点である。
【図面の簡単な説明】
【００１２】
【図１】図１は本発明における第一実施形態の構造見取図である。
【図２】図２は本発明における第一実施形態の局部断面図である。
【図３】図３は本発明における第二実施形態の構造見取図である。
【図４】図４は本発明における第二実施形態の局部断面図である。
【符号の説明】
【００１３】
１    グリップ管
２    蓄熱管
３    バネ
４    木片
５    金属製の錘
６    ネジ
７    灰皿
８    グリップ管
９    蓄熱管
１０  電源制御スイッチベース
１１  通気孔
１２  断熱及び排煙用スリット
１３  消火リング
２１  通気孔
７１  消火リング
８１  耐熱電線
８２  ランプソケット
８３  ランプ
９１  断熱用スリット
９２  蓄熱室
１０１  電源制御スイッチ
１０２  電源コード
１０３  電源コンセント
【図１】
2004223246.tif 000003
【図２】
2004223246.tif 000004
【図３】
2004223246.tif 000005
【図４】
2004223246.tif 000006